(57)【要約】      （修正有）【課題】駆動本体、搭載部材および接続部材を含む回転式洗濯装置を提供する。【解決手段】駆動本体１１は洗濯機２の内槽体２１内に位置し、前記駆動本体１１に複数個の凸部１１１が突設され、各凸部１１１が阻止面を有し、前記搭載部材１２は脱着可能に前記内槽体２１に取付けられ、前記搭載部材１１に複数個の取付け足１２３が突設され、前記複数個の取付け足１２３が前記内槽体２１の複数個の取付け孔に係合され、前記搭載部材１２が前記複数個の取付け足１２３と前記複数個の取付け孔の係合によって前記内槽体２１に取付けられ、前記接続部材１３が回転可能に前記搭載部材１２に挿設され、前記阻止面が押された時に、前記駆動本体１１は連動的に前記接続部材１３を前記洗濯機２の前記内槽体２１に対し回転させる。【選択図】図１
2020171694.tif 000002
【特許請求の範囲】
【請求項１】
洗濯機に用いる回転式洗濯装置であって、
前記洗濯機の内槽体内に位置する駆動本体と、
脱着可能に前記洗濯機の前記内槽体に取付けられる搭載部材と、
回転可能に前記搭載部材内に挿設される接続部材とを含み、
前記駆動本体に複数個の凸部が突設され、各凸部が阻止面を有し、
前記搭載部材に複数個の取付け足が突設され、前記複数個の取付け足が前記洗濯機の前記内槽体の複数個の取付け孔に挿設係合され、前記搭載部材が前記複数個の取付け足と前記複数個の取付け孔との挿設係合によって前記洗濯機の前記内槽体に取付けられ、
前記阻止面が押された時に、前記駆動本体は連動により前記接続部材を前記洗濯機の前記内槽体に対し回転させる、回転式洗濯装置。
【請求項２】
前記複数個の足が弾性材料で制作される、請求項1に記載の回転式洗濯装置。
【請求項３】
前記搭載部材は第一部分および前記第一部分に接続される第二部分を含み、
前記第一部分の外縁と前記接続部材の回転軸との間の距離が、前記接続部材の前記回転軸に平行な第一方向に沿って逓増し、
前記第二部分の外縁と前記接続部材の前記回転軸との間の距離が、前記接続部材の前記回転軸に平行な前記第一方向に沿って逓減する、請求項1に記載の回転式洗濯装置。
【請求項４】
前記複数個の取付け足は、前記搭載部材の前記第一部分と前記第二部分との接続部分に位置し、かつ前記接続部材の前記回転軸から離れる方向へ延伸する、請求項3に記載の回転式洗濯装置。
【請求項５】
前記回転式洗濯装置はさらに取り外しアセンブリを含み、
前記取り外しアセンブリは押え部材を含み、
前記押え部材が押え操作部と、前記押え操作部に接続され、かつ前記複数個の取付け足を押えるための複数個の押え部とを含む、請求項１に記載の回転式洗濯装置。
【請求項６】
各前記押え部は第一押え部品、第二押え部品および第三押え部品を含み、
前記第一押え部品の両端がそれぞれ前記押え操作部と前記第二押え部品に接続され、前記第二押え部品がさらに前記第三押え部品に接続され、
前記第一押え部品と前記押え操作部の間に第一夾角が形成され、前記第一押え部品が前記押え操作部に対し湾曲できるようにして前記第一夾角を調整し、
前記第一押え部品と前記第二押え部品の間に第二夾角が形成され、前記第二押え部品が前記第一押え部品に対し湾曲できるようにして前記第二夾角を調整し、
前記第二押え部品と前記第三押え部品の間に第三夾角が形成され、前記第二押え部品が前記第三押え部品に対し湾曲できるようにして前記第三夾角を調整する、請求項5に記載の回転式洗濯装置。
【請求項７】
前記押え操作部が多角形構造であり、前記多角形構造の何れか一つの側に第一操作部品および第二操作部品を有し、前記第一操作部品が前記第二操作部品に接続され、かつ前記第二操作部品に対し湾曲することができる、請求項6に記載の回転式洗濯装置。
【請求項８】
前記押え操作部は第一操作部品および第二操作部品を含み、前記第一操作部品が前記第二操作部品に接続され、かつ前記第二操作部品に対し湾曲することができる、請求項5に記載の回転式洗濯装置。
【請求項９】
前記複数個の押え部が前記押え操作部に可動式に接続される、請求項5に記載の回転式洗濯装置。
【請求項１０】
前記取り外しアセンブリはさらにこじ動かし部材を含み、
前記こじ動かし部材はこじ動かし操作部と、前記こじ動かし操作部に接続され、かつ前記駆動本体を押し支えるこじ動かし部を含む、請求項5に記載の回転式洗濯装置。
【請求項１１】
前記こじ動かし部はU字型構造であり、前記こじ動かし操作部が前記U字型構造の中間部分に接続される、請求項10に記載の回転式洗濯装置。
【請求項１２】
前記回転式洗濯装置はさらに汚れ除去部材を含み、
前記汚れ除去部材は前記接続部材に接続され、かつ前記接続部材に対し垂直であり、
前記汚れ除去部材は前記洗濯機の前記内槽体と外槽体との間に位置する、請求項1に記載の回転式洗濯装置。
【請求項１３】
前記搭載部材はさらに二つのリミット構造を有し、前記二つのリミット構造がそれぞれ前記汚れ除去部材および前記駆動本体に当接して、前記接続部材が前記搭載部材に対し前記接続部材の回転軸に平行な軸方法に沿って移動することを制限する、請求項12に記載の回転式洗濯装置。
【請求項１４】
前記接続部材は軸体と二つのリミット部とを含み、
前記軸体は回転可能に前記搭載部材内に挿設され、前記軸体の両端がそれぞれ前記駆動本体と前記汚れ除去部材に接続され、
前記二つのリミット部は前記軸体において突設され、かつ前記搭載部材の対向する両側に近接して位置し、
前記二つのリミット部は前記搭載部材に当接して、前記接続部材が前記搭載部材に対し前記接続部材の回転軸に平行な軸方向に沿って移動することを制限する、請求項12に記載の回転式洗濯装置。
【請求項１５】
前記搭載部材はさらにリミット構造を含み、
前記リミット構造は前記駆動本体に当接して、前記接続部材が前記搭載部材に対し、前記接続部材の回転軸に平行は軸方向に沿って移動することを制限する、請求項1に記載の回転式洗濯装置。
【請求項１６】
前記接続部材は軸体とリミット部を含み、
前記軸体は回転可能に前記搭載部材内に挿設され、かつ前記駆動本体に接続され、
前記リミット部は前記軸体において突設され、かつ前記搭載部材に近接する部分に位置し、
前記リミット部は前記搭載部材に当接して、前記接続部材が前記搭載部材に対し前記接続部材の回転軸に平行な軸方向に沿って移動することを制限する、請求項1に記載の回転式洗濯装置。
【請求項１７】
前記搭載部材にさらに間隙および貫通孔が形成され、
前記接続部材は回転可能に前記貫通孔に挿設され、前記間隙と前記貫通孔が連通し、かつ前記搭載部材の外縁まで延伸する、請求項1に記載の回転式洗濯装置。
【請求項１８】
前記間隙は前記複数個の取付け足のうちの一つを通って、前記搭載部材の前記外縁まで延伸する、請求項17に記載の回転式洗濯装置。
【請求項１９】
前記接続部材は脱着可能に前記駆動本体に接続され、
前記接続部材は中間当接部および二つの弾性係合部を含み、
前記駆動本体に中間凹部および二つの係合溝が形成され、前記中間当接部が前記中間凹部に収納され、前記二つの弾性係合部が前記二つの係合溝と係合する、請求項1に記載の回転式洗濯装置。
【請求項２０】
前記接続部材は脱着可能に前記駆動本体に接続され、
前記駆動本体に収納槽と、前記収納槽に連通する開口とが形成され、
前記接続部材の前記駆動本体に接続される一端がT字型構造であり、前記T字型構造が反対方向に沿って延伸する二つの側部を含み、前記二つの側部の合計長さが前記開口の長さより大きく、前記二つの側部が前記収納槽内に収納される、請求項1に記載の回転式洗濯装置。
【請求項２１】
前記回転式洗濯装置はさらに、前記搭載部材と前記内槽体との間に設置される弾性部材を含み、
前記搭載部材が脱着可能に前記洗濯機の前記内槽体に取付けられた時に、前記弾性部材が力を受けて弾性変形する、請求項1に記載の回転式洗濯装置。
【請求項２２】
前記回転式洗濯装置はさらに、前記接続部材に設置された従動部材を含み、
前記従動部材に複数個の駆動当接部が突設され、前記阻止面が押された時に、前記駆動本体は前記従動部材の前記複数個の駆動当接部を押し当てることで、前記接続部材を前記洗濯機の前記内槽体に対し回転させる、請求項1に記載の回転式洗濯装置。
【請求項２３】
少なくとも前記駆動本体を部分的に被覆する保護カバーをさらに含む、請求項1に記載の回転式洗濯装置。
【請求項２４】
前記駆動本体の重量分布が均等である、請求項1に記載の回転式洗濯装置。  
【請求項２５】
前記搭載部材が第一半部および第二半部を含み、
前記第一半部と前記第二半部は分離可能に互いに接続され、前記第一半部と前記第二半部が貼り合わさった時に、前記第一半部と前記第二半部との間に、前記接続部材を挿設するための貫通孔が形成され、
前記回転式洗濯装置はさらに嵌合具を含み、前記嵌合具は前記第一半部に設置された第一嵌合部材および前記第二半部に設置された第二嵌合部材を含む、
前記第一嵌合部材が前記第二嵌合部材に嵌合された場合、前記第一半部と前記第二半部が離脱不能となり、前記第一嵌合部材が前記第二嵌合部材に嵌合されていない場合、前記第一半部と前記第二半部が分離可能となり、前記接続部材を取り出せる、請求項1に記載の回転式洗濯装置。
【請求項２６】
前記搭載部材は弾性材料によって制作され、
前記搭載部材は、前記内槽体の取付け槽の壁面に吸着するための少なくとも一つの吸盤構造と、前記接続部材を挿設するための槽貫通構造とを含み、
前記槽貫通構造が前記接続部材の回転軸に平行な方向に沿って延伸する、請求項1に記載の回転式洗濯装置。
【請求項２７】
前記搭載部材はさらに、少なくとも一つの外縁延伸部を含み、
前記搭載部材が前記洗濯機の前記内槽体に取付けられた時に、前記少なくとも一つの外縁延伸部が前記取付け槽の外に露出される、請求項26に記載の回転式洗濯装置。
【請求項２８】
前記槽貫通構造は、前記槽貫通構造の長さを柔軟に伸縮させるための波紋段または螺旋段を含む、請求項26に記載の回転式洗濯装置。
【発明の詳細な説明】
【技術分野】
【０００１】
本発明は洗濯機の付属部品に関し、特に洗濯機に用いられる回転式洗濯装置に関する。
【背景技術】
【０００２】
人類が布、シルクまたは近代的なさまざまな人造繊維を用いて、繰り返し洗える衣類を作れるようになってから、如何にして衣類をきれいに洗濯するかが重要課題の一つである。近代的な自動化機械技術に支えられて、洗濯機が暮らしに必要な電器の一種として各家庭に普及している。洗濯機の原理を概略すると、水（洗剤を配合）と衣類の間の衝突によって衣類の汚れを除去するものであり、洗濯時の水流の攪動が強いほど、衣類の洗浄効果がより良くなる。従って、使いやすくて人間化設計（humanization  design）の解決案を提供し、洗濯時の水流攪動を促進して衣類の洗浄効果を高めることが業界の注目テーマの一つである。
【発明の概要】
【発明が解決しようとする課題】
【０００３】
従って、前記課題を解決すべく、本発明の目的は、洗濯機に用いられる回転式洗濯装置を提供することにある。
【課題を解決するための手段】
【０００４】
前記目的を達成するために、本発明が開示する洗濯機に用いる回転式洗濯装置は駆動本体、搭載部材および接続部材を含み、前記駆動本体が前記洗濯機の内槽体内に位置し、前記駆動本体に複数個の凸部が突設され、各凸部が阻止面を有し、前記搭載部材が脱着可能に前記洗濯機の前記内槽体に取付けられ、前記搭載部材に複数個の取付け足が突設され、前記複数個の取付け足が前記洗濯機の前記内槽体の複数個の取付け孔に係合され、前記搭載部材が前記複数個の取付け足と前記複数個の取付け孔との係合によって前記洗濯機の前記内槽体に取付けられ、前記接続部材が回転可能に前記搭載部材内に挿設され、前記阻止面が押された時に、前記駆動本体に連動して前記接続部材が前記洗濯機の前記内槽体に対し回転する。
【０００５】
本発明の一実施例によると、前記複数個の取付け足は弾性材料で制作される。
【０００６】
本発明の一実施例によると、前記搭載部材は第一部分および前記第一部分に接続された第二部分を含み、前記第一部分の外縁と前記接続部材の回転軸との間の距離が前記接続部材の前記回転軸に平行な第一方向に沿って逓増し、前記第二部分の外縁と前記接続部材の前記回転軸間との距離が前記接続部材の前記回転軸に平行な前記第一方向に沿って逓減する。
【０００７】
本発明の一実施例によると、前記複数個の取付け足は、前記搭載部材の前記第一部分と前記第二部分との接続部分に位置し、かつ前記接続部材の回転軸から離れる方向へ延伸する。
【０００８】
本発明の一実施例によると、前記回転式洗濯装置はさらに取り外しアセンブリを含み、前記取り外しアセンブリが押え部材を含み、前記押え部材が押え操作部と複数個の押え部を含み、これらの押え部が前記押え操作部に接続され、かつ前記複数個の取付け足を押えるためのものである。
【０００９】
本発明の一実施例によると、各押え部は第一押え部品、第二押え部品および第三押え部品を含み、前記第一押え部品の両端がそれぞれ前記押え操作部と前記第二押え部品に接続され、前記第二押え部品がさらに前記第三押え部品に接続され、前記第一押え部品と前記押え操作部との間に第一夾角が形成され、前記第一押え部品を前記押え操作部に対し湾曲できるようして前記第一夾角を調整し、前記第一押え部品と前記第二押え部品との間に第二夾角が形成され、前記第二押え部品が前記第一押え部品に対し湾曲できるようにして前記第二夾角を調整し、前記第二押え部品と前記第三押え部品との間に第三夾角が形成され、前記第二押え部品が前記第三押え部品に対し湾曲できるようにして前記第三夾角を調整する。
【００１０】
本発明の一実施例によると、前記押え操作部は多角形構造であり、前記多角形構造の任意の一方側に第一操作部品および第二操作部品を備え、前記第一操作部品が前記第二操作部品に接続され、かつ前記第二操作部品に対し湾曲することができる。
【００１１】
本発明の一実施例によると、前記押え操作部は第一操作部品および第二操作部品を含み、前記第一操作部品が前記第二操作部品に接続され、かつ前記第二操作部品に対し湾曲することができる。
【００１２】
本発明の一実施例によると、前記複数個の押え部が可動式に前記押え操作部に接続される。  
本発明の一実施例によると、前記取り外しアセンブリはさらにこじ動かし部材を含み、前記こじ動かし部材がこじ動かし操作部と、前記こじ動かし操作部に接続され、かつ前記駆動本体を押し支えるこじ動かし部とを含む。
【００１３】
本発明の一実施例によると、前記こじ動かし部はU字型構造であり、前記こじ動かし操作部が前記U字型構造の中間部分に接続される。
【００１４】
本発明の一実施例によると、前記回転式洗濯装置はさらに汚れ除去部材を含み、前記汚れ除去部材が前記接続部材に接続され、かつ前記接続部材に対し垂直であり、前記汚れ除去部材が前記洗濯機の前記内槽体と外槽体との間に位置する。
【００１５】
本発明の一実施例によると、前記搭載部材はさらに二つのリミット構造を含み、それぞれ前記汚れ除去部材および前記駆動本体に当接して、前記接続部材が前記搭載部材に対し、前記接続部材の回転軸に平行な軸方向に移動することを制限する。
【００１６】
本発明の一実施例によると、前記接続部材は軸体と二つのリミット部を含み、前記軸体が回転可能に前記搭載部材内に挿設され、前記軸体の両端がそれぞれ前記駆動本体と前記汚れ除去部材に接続され、前記二つのリミット部が前記軸体に突設され、かつ前記搭載部材の対向する両側に近接して位置し、前記二つのリミット部が前記搭載部材に当接して、前記接続部材が前記搭載部材に対し、前記接続部材の回転軸に平行な軸方向に沿って移動することを制限する。
【００１７】
本発明の一実施例によると、前記搭載部材はさらにリミット構造を含み、前記駆動本体に当接して、前記接続部材が前記搭載部材に対し、前記接続部材の回転軸に平行な軸方向に沿って移動することを制限する。
【００１８】
本発明の一実施例によると、前記接続部材は軸体およびリミット部を含み、前記軸体が回転可能に前記搭載部材内に挿設され、かつ前記駆動本体に接続され、前記リミット部が前記軸体に突設され、かつ前記搭載部材に近接する部分に位置し、前記リミット部が前記搭載部材に当接して、前記接続部材が前記搭載部材に対し、前記接続部材の回転軸に平行な軸方向に沿って移動することを制限する。
【００１９】
本発明の一実施例によると、前記搭載部材においてさらに隙間と貫通孔が形成され、前記接続部材が回転可能に前記貫通孔に挿設され、前記隙間と前記貫通孔が連通し、かつ前記搭載部材の外縁まで延伸する。
【００２０】
本発明の一実施例によると、前記隙間が前記複数個の取付け足のうちの一つを通って、前記搭載部材の前記外縁まで延伸する。
【００２１】
本発明の一実施例によると、前記接続部材は脱着可能に前記駆動本体に接続され、前記接続部材が中間当接部と二つの弾性係合部を含み、前記駆動本体に中間凹部と二つの係合溝が形成され、前記中間当接部が前記中間凹部に収納され、前記二つの弾性係合部が前記二つの係合溝に係合される。
【００２２】
本発明の一実施例によると、前記接続部材は脱着可能に前記駆動本体に接続され、前記駆動本体に収納槽および前記収納槽に連通する開口が形成されており、前記接続部材の前記駆動本体に接続される一端がT字型構造であり、前記T字型構造が対向方向へ延伸する二つの側部を含み、前記二つの側部の合計長さが前記開口の長さより大きく、前記二つの側部が前記収納槽内に収納される。
【００２３】
本発明の一実施例によると、前記回転式洗濯装置はさらに、前記搭載部材と前記内槽体との間に設置された弾性部材を含み、前記搭載部材が脱着可能に前記洗濯機の前記内槽体に取付けられた時、前記弾性部材が力を受けて弾性変形する。
【００２４】
本発明の一実施例によると、前記回転式洗濯装置はさらに、前記接続部材に設置された従動部材を含み、前記従動部材に複数個の駆動当接部が突設され、前記阻止面が押された場合、前記駆動本体が前記従動部材の前記複数個の駆動当接部を押し当てることで、前記接続部材を前記洗濯機の前記内槽体に対し回転させる。
【００２５】
本発明の一実施例によると、前記回転式洗濯装置はさらに保護カバーを含み、前記保護カバーが少なくとも前記駆動本体を部分的に被覆する。
【００２６】
本発明の一実施例によると、前記駆動本体の重量分布が均等である。
【００２７】
本発明の一実施例によると、前記搭載部材が第一半部および第二半部を含み、前記第一半部と前記第二半部が分離可能に接続され、第一半部と前記第二半部が貼り合わさった場合、前記第一半部と前記第二半部との間に、前記接続部材を挿設するための貫通孔が形成され、前記回転式洗濯装置はさらに嵌合具を含み、前記嵌合具が前記第一半部に設置された第一嵌合部材および前記第二半部に設置された第二嵌合部材を含む、前記第一嵌合部材が前記第二嵌合部材に嵌合された場合、前記第一半部と前記第二半部が離脱不能となり、前記第一嵌合部材が前記第二嵌合部材に嵌合されていない場合、前記第一半部と前記第二半部が分離可能となり、前記接続部材を取り出せる。
【００２８】
本発明の一実施例によると、前記搭載部材は弾性材料によって制作され、前記搭載部材は、前記内槽体の取付け槽の壁面に吸着するための少なくとも一つの吸盤構造と、前記接続部材を挿設するための槽貫通構造とを含み、前記槽貫通構造が前記接続部材の回転軸に平行な方向に沿って延伸する。
【００２９】
本発明の一実施例によると、前記搭載部材はさらに、少なくとも一つの外縁延伸部を含み、前記搭載部材が前記洗濯機の前記内槽体に取付けられた時、前記少なくとも一つの外縁延伸部が前記取付け槽の外部に露出される。
【００３０】
本発明の一実施例によると、前記槽貫通構造は、前記槽貫通構造の長さを柔軟に伸縮させるための波紋段または螺旋段を含む。
【００３１】
以上をまとめると、本発明は、取付け足と取付け孔の係合によって搭載部材を洗濯機の内槽体に取り付けて、接続部材を安定して保持し、これにより、ユーザは取付け足と取付け孔を係合または脱係合させるだけで、簡単に回転式洗濯装置を洗濯機の内槽体に取り付けるか、または回転式洗濯装置を洗濯機の内槽体から取り外すことができる。また、搭載部材は回転軸に平行な方向に沿って、接続部材、駆動本体または汚れ除去部材に当接し、接続部材が搭載部材に対し軸方向に移動することを制限できるため、接続部材が回転軸に平行な方向の外力を受けた場合でも、接続部材が回転軸に平行な方向に沿って搭載部材から脱離することはない。さらに、接続部材と駆動本体の間の脱着可能な接続設計、または接続部材と搭載部材の間の脱着可能な接続設計は、後のメンテナンスの実施に有利である。
【図面の簡単な説明】
【００３２】
【図１】本発明の第一実施例の回転式洗濯装置の概略図。
【図２】本発明の第一実施例の回転式洗濯装置の取付け概略図。
【図３】本発明の第一実施例の回転式洗濯装置の搭載部材の概略図。
【図４】本発明の第一実施例の回転式洗濯装置の部分概略図。
【図５】本発明の第一実施例の取り外しアセンブリの概略図。
【図６】本発明の第二実施例の回転式洗濯装置のある視角からの概略図。
【図７】本発明の第二実施例の回転式洗濯装置を異なる視角からの概略図。
【図８】本発明の第二実施例の回転式洗濯装置の部分概略図。
【図９】本発明の第三実施例の回転式洗濯装置の概略図。
【図１０】本発明の第三実施例の回転式洗濯装置の部分概略図。
【図１１】本発明の第四実施例の回転式洗濯装置の取付け概略図。
【図１２】本発明の第五実施例の回転式洗濯装置の取付け概略図。
【図１３】本発明の第六実施例の回転式洗濯装置の取付け概略図。
【図１４】本発明の第六実施例の搭載部材の概略図。
【発明を実施するための形態】
【００３３】
以下の実施例で言及される方向用語、例えば、上、下、左、右、前また後などは、図面を参照するための方向のみを示す。従って、これらの方向用語は説明を目的とし、本発明を制限するものではない。
【００３４】
図1から図4を参照すると、図1は本発明の第一実施例の回転式洗濯装置1の概略図であり、図2は本発明の第一実施例の回転式洗濯装置1の取付け概略図であり、図3は本発明の第一実施例の回転式洗濯装置1の搭載部材12の概略図であり、図4は本発明の第一実施例の回転式洗濯装置1の部分概略図である。図1ないし図4が示すように、回転式洗濯装置1は駆動本体11、搭載部材12、接続部材13および汚れ除去部材14を含み、駆動本体11は洗濯機2の内槽体21内に位置し、駆動本体11上に複数個の凸部111が突設され、各凸部111が内槽体21内の水流または衣類を阻止するための阻止面を有する。搭載部材12は脱着可能に洗濯機2の内槽体21に取付けられ、搭載部材12上に三つの取付け足123が環状に配置さて突設され、即ち、隣接する二つの取付け足123が互いに120度をなして離間している。洗濯機2の内槽体21に、三つの取付け足123に対応する三つの取付け孔211が形成され、三つの取付け足123が洗濯機2の内槽体21の三つの取付け孔211に挿設、係合され、搭載部材12が三つの取付け足123と三つの取付け孔211との係合によって洗濯機2の内槽体21に取付けられる。接続部材13は回転可能に搭載部材12内に挿設され、接続部材13の第一端131が駆動本体11に接続される。汚れ除去部材14は接続部材13の第一端131と反対側である第二端132に接続され、かつ接続部材13に対し実質上垂直になっており、汚れ除去部材14が洗濯機2の内槽体21と外槽体22との間に位置する。本実施例において、汚れ除去部材14がブラシまたは軟質のスクレーパであることが好ましいが、本発明はこれに限定されない。これにより、駆動本体11は、前記阻止面が水流または衣類に押された時に、連動により、接続部材13とともに洗濯機2の内槽体21に対し回転し、かつ前記阻止面が水流の攪動を促進して、洗濯物の洗浄効果を高める。また、駆動本体11が水流に衝突され、または衣類に弾かれて、連動により接続部材13とともに洗濯機2の内槽体21に対し回転する時に、汚れ除去部材14が接続部材13に動かされて洗濯機2の内槽体21と外槽体22に対し回転し、内槽体21と外槽体22を掃除する効果が得られる。
【００３５】
洗濯機2が作動する時に、まず、内槽体21内に水を溜め入れて、駆動本体11を水中に浸し、内槽体21内の水が洗濯機2に駆動されて、旋回する水流が形成される。駆動本体11の表面に前記阻止面が形成されているため、平ではなく、水流が駆動本体11を通る時に前記阻止面と衝突し、駆動本体11を回転させる現象が起こる。また、内槽体21内の衣類が駆動本体11に通る時に、前記阻止面が衣類に弾かれることで駆動本体11が回転する現象が起こる。そして、回転する駆動本体11は前記阻止面でさらに水流をかき回し、水流にさらに大量の激しい旋回流が発生する。このように、前記の旋回流と衣類との間により多くの往復摩擦が生じるため、より高い洗浄効果が得られる。つまり、本発明の駆動本体11は直接内槽体21内の水流によって回転し、かつこの回転が返って内槽体21内の流れを変えることができて、相乗効果が得られる。従って、内槽体21内の流れが時間とともに徐々に変化するものであり、実質上非安定状の流れとみなすことができる。内槽体21内の非安定状の流れがより大きい乱流を起こす可能性があり、乱流は水の運動量の伝達に有利であるため、本発明の洗濯機2内の流れはより優れた洗浄効果が得られる。
なお、本発明の回転式洗濯装置の構造はこれらの実施例に限定されず、例えば、別の実施例において、回転式洗濯装置は駆動本体、搭載部材および接続部材のみを含み、汚れ除去部材を含まなくてもよい。また、本発明の取付け足の数および設置位置もこれらの実施例に限定されず、例えば、別の実施例において、搭載部材に対向して設置（180度を挟んで）された二つの取付け足のみが突設されてもよい。
【００３６】
具体的に、搭載部材12は、駆動本体11に近接する第一部分121と、第一部分121に接続され、かつ汚れ除去部材14に近接する第二部分122とを含む。第一部分121の外縁P1と接続部材13の回転軸Sの間の距離が接続部材13の回転軸Sに平行な第一方向R1に沿って逓増し、第二部分122の外縁P2と接続部材13の回転軸Sの間の距離が第一方向R1に沿って逓減する。三つの取付け足123は、搭載部材12の第一部分121と第二部分122の接続部分に位置し、かつ接続部材13の回転軸Sから離れる方向へ延伸して、対応する三つの取付け孔211に係合される。また、搭載部材12はさらに、二つのリミット構造124を含み、二つのリミット構造124がそれぞれ第一部分121と第二部分122から駆動本体11と汚れ除去部材14に向かって延伸し、かつ、それぞれ駆動本体11と汚れ除去部材14に当接して、接続部材13が搭載部材12に対し、接続部材13の回転軸Sに平行な軸方向に移動することを制限する。これにより、接続部材13が第一方向R1または第一方向に逆の第二方向R2に沿った外力を受けた場合でも、接続部材13の第一方向R1または第二方向R2に沿った移動がリミット構造124に制限され、接続部材13が第一方向R1または第二方向R2に沿って搭載部材12から脱落することを回避できる。また、本実施例において、搭載部材12が概ね対称的なコマ型の構造であることが好ましい。しかし、本発明の搭載部材の構造および形状がこれに限定されず、実際の設計ニーズによって決めてもよい。例を挙げると、別の実施例において、搭載部材が駆動本体に近接する一つの第一部分および第一部分から駆動本体へ向かって延伸するリミット構造のみを含んでもよい。
【００３７】
また、この実施例において、内槽体21に取付け槽212が形成され、取付け槽212の壁面2121において環状に三つの取付け孔211が形成され、回転式洗濯装置1が内槽体21に取付けられた場合、回転式洗濯装置1の一部が取付け槽212に収納される（即ち、図2が示すように、一部の駆動本体11のみが取付け槽212の外に露出する）ことが好ましく、回転式洗濯装置1が突出過ぎることによって、内槽体21内ある衣類が駆動本体11、搭載部材12または接続部材13に絡むことを回避する。しかし、回転式洗濯装置1の駆動本体11が全部取付け槽212の外に露出するように設計してもよく、実際の設計ニーズによって決めるとする。
その他に、回転式洗濯装置１を取付けまた取り外す時の便利さを高めるために、三つの取付け足123をすべて弾性材料で制作することが好ましい。ユーザは搭載部材12を取付けまたは取り外したい時に、取付け足123に圧力をかけて弾性変形させるだけで、簡単に取付け足123と取付け孔211を係合さるかまたは係合を脱離させることができて、搭載部材12の取付けまたは取り外しを実現できる。また、図3ないし図5を参照すると、図5は本発明の第一実施例の取り外しアセンブリ15の概略図である。図3ないし図5が示すように、回転式洗濯装置1はさらに取り外しアセンブリ15を含み、取り外しアセンブリ15は押え部材151およびこじ動かし部材152を含む。押え部材151は、押え操作部1511と、押え操作部1511に接続され、かつ三つの取付け足123を押えるための三つの押え部1512とを含む。こじ動かし部材152は、こじ動かし操作部1521と、こじ動かし操作部1521に接続され、かつ駆動本体11を押し支えるこじ動かし部1522を含む。ユーザが回転式洗濯装置1を内槽体21から取り外したい場合、まず押え操作部1511を操作して、押え部1512を取付け槽212に入れて、かつ取付け足123を下へ押して弾性変形させ、次に、こじ動かし操作部1521を操作し、こじ動かし部1522を駆動本体11の搭載部材12に近い側に押し当てるとともに、第二方向R2へ駆動本体11をこじて動かすことで、搭載部材12を簡単に取り外すことができる。本実施例において、こじ動かし部1522はU字型構造であることが好ましく、こじ動かし操作部1521が前記U字型構造の中間部分に接続されてもよい。また、押え操作部1511が正三角形構造であってもよい。しかし、本発明のこじ動かし部と押え操作部の形状はこれらに限定されず、実際のニーズによって決めるとする。例を挙げると、別の実施例において、押え操作部が異なる多角形構造または円形構造であってもよい。また、本発明の押え部の数および設置位置もこれらの実施例に限定されず、実際のニーズ（例えば、取付け足の数量および設置位置）によって決めるとする。
【００３８】
押え部材151の使用利便性を高めるために、三つの押え部1512を可動式に前記正三角形構造に接続させてもよく、三つの押え部1512が前記正三角形構造の三つの頂点まで移動した時に、三つの取付け足123と対応する。前記正三角形構造の各側に第一操作部品1511Aおよび第二操作部品1511Bを備え、第一操作部品1511Aが第二操作部品1511Bに接続され、かつ第一操作部品1511Aと第二操作部品1511Bは互いに対し湾曲可能である。各押え部1512は第一押え部品1512A、第二押え部品1512Bおよび第三押え部品1512Cを含み、第一押え部品1512Aの両端がそれぞれ押え操作部1511と第二押え部品1512Bに接続され、第二押え部品1512Bがさらに第三押え部品1512Cに接続される。第一押え部品1512Aと押え操作部1511との間に第一夾角A1が形成され、第一押え部品1512Aが押え操作部1511に対し湾曲して、第一夾角A1を調整することができる。第一押え部品1512Aと第二押え部品1512Bとの間に第二夾角A2が形成され、第二押え部品1512Bが第一押え部品1512Aに対し湾曲して、第二夾角A2を調整することができる。第二押え部品1512Bと第三押え部品1512Cとの間に第三夾角A3が形成され、第二押え部品1512Bが第三押え部品1512Cに対し湾曲して、第三夾角A3を調整することができる。このようにして、ユーザは、第一操作部品1511Aと第二操作部品1511Bの相対湾曲、第一押え部品1512Aと押え操作部1511の相対湾曲、第二押え部品1512Bと第一押え部品1512Aの相対湾曲、および、第三押え部品1512Cと第二押え部品1512Bの相対湾曲だけで、押え部材151を畳んだり広げたりすることができて、押え部材151が畳まれた状態でその体積が比較的に小さく、收納または携帯しやすい。
【００３９】
また、図1と図2が示すように、本実施例において、回転式洗濯装置1はさらに、搭載部材12と内槽体21との間に当接する弾性部材16を含んでもよい。弾性部材16は例えば圧縮ばねであってもよく、搭載部材12が内槽体21に取付けられた時に、力を受けて圧縮し、弾性変形する。取付け足123が力を受けて弾性変形した場合、圧縮された弾性部材16による弾性復帰力が搭載部材12を第二方向R2へ押して、取付け足123と取付け孔211を脱係合させるため、搭載部材12の取り外しがより簡単で、手間が少ない。
【００４０】
また、図6ないし図8を参照すると、図6と図7は本発明の第二実施例の回転式洗濯装置1’の異なる視角における概略図であり、図8は本発明の第二実施例の回転式洗濯装置1’の部分概略図である。図6ないし図8が示すように、第一実施例と異なって、第二実施例の回転式洗濯装置1’は駆動本体11’、搭載部材12’、接続部材13’および汚れ除去部材14’を含む。簡潔の見地から、図6ないし図8において駆動本体11’の凸部の図示を省略しており、搭載部材12’は支持片121’および中空管122’を含み、中空管122’の両端にはそれぞれ駆動本体11’と汚れ除去部材14’に当接する二つのリミット構造124’が形成され、支持片121’において対向して設置された二つの取付け足123’が突設されている。ここで、本実施例の内槽体には対応する二つの取付け孔が形成されていると理解してもよい。支持片121’に貫通孔125’が形成され、中空管122’が貫通孔125’に挿設され、接続部材13’が中空管122’内に挿設される。支持片121’にはさらに隙間126’が形成され、隙間126’と貫通孔125’が連通し、かつ二つの取付け足123’のうちの一つを通って支持片121’の外縁P3まで延伸する。隙間126’を形成することにより、ユーザは支持片121’を引き動かして、隙間126’から中空管122’を通過させて、中空管122’および／または接続部材13’をより簡単に取り外すことができる。
さらに、接続部材13’の第一端131’が脱着可能に駆動本体11’に接続される。具体的には、駆動本体11’の接続部材13’に近接する側に収納槽112’および収納槽112’に連通する開口113’が形成され、接続部材13’の駆動本体11’に接続される第一端131’がT字型構造であり、前記T字型構造は互いに逆方向に延伸する二つの側部1311’を含み、二つの側部1311’の合計長さが開口113’の長さより大きく、収納槽112’は二つの側部1311’を収納する。ユーザは、前記T字型構造と駆動本体11’の相対移動によって、二つの側部1311’を開口より通過させて、収納槽112’内に収納し、接続部材13’の第一端131’と駆動本体11’の接続を完了する。一方、ユーザは、前記T字型構造と駆動本体11’の相対移動によって、二つの側部1311’を開口113’より通過させて、収納槽112’から脱離させ、接続部材13’の取り外しを完了する。  
さらに図9と図10を参照すると、図9は本発明の第三実施例の回転式洗濯装置1’’の概略図であり、図10は本発明の第三実施例の回転式洗濯装置1’’の部分概略図である。図9と図10が示すように、前記実施例と異なって、第三実施例の回転式洗濯装置1’’は駆動本体11’’、搭載部材12’’、接続部材13’’および汚れ除去部材14’’を含む。簡潔の見地から、図9と図10において駆動本体11’’の凸部の図示を省略しており、搭載部材12’’は支持片121’’を含み、支持片121’’において環状に設置された三つ取付け足123’’が突設され、支持片121’’に貫通孔125’’が形成され、接続部材13’’が貫通孔125’’に挿設され、支持片121’’にさらに隙間126’’が形成され、隙間126’’と貫通孔125’’が連通し、かつ支持片121’’の外縁P4まで延伸する。隙間126’’を形成することにより、ユーザは、支持片121’’を引き動かすことで、隙間126’’から接続部材13’’を通過させて、より簡単に接続部材13’’を取り外すことができる。
また、接続部材13’’は軸体133’’と二つのリミット部134’’を含み、軸体133’’は回転可能に支持片121’’に挿設され、軸体133’’の両端がそれぞれ駆動本体11’’と汚れ除去部材14’’に接続され、二つのリミット部134’’が軸体133’’に突設され、かつ支持片121’’の対向する両側に近接した部分に位置する。二つのリミット部134’’は支持片121’’に当接して、接続部材13’’が支持片121’’に対し、軸体133’’の回転軸に平行な軸方向に沿って移動することを制限する。本実施例において、好ましくは、リミット部134’’が突起環状構造であり、前記突起環状構造の外径が貫通孔125’’の内径より大きくてもよいが、本発明のリミット部の数と構造がこれに限定されない。例を挙げると、別の実施例において、接続部材は支持片の一方側に位置する一つのリミット部のみを含んでもよい。
【００４１】
また、軸体133’’は脱着可能に駆動本体11’’に接続され、軸体133’’は中間当接部1331’’と二つの弾性係合部1333’’を含み、弾性係合部1333’’が中間当接部1331’’の両側に位置し、かつ対向する両方向へ延伸する。駆動本体11’’に中間凹部114’’と二つの係合翼部117’’が形成され、二つの係合翼部が中間凹部114’’の両側に位置する。各係合翼部117’’は係合位置および解放位置の間を軸転して切り替えることが可能で、かつ係合溝116’’が形成されている。ユーザは軸体133’’を駆動本体11’’に接続させたい場合、中間当接部1331’’を中間凹部114’’に入れて、次に、二つの係合翼部117’’を引き動かして前記係合位置に切り替え、二つの弾性係合部1333’’を二つの係合溝116’’に係合させると、軸体133’’と駆動本体11’の接続が完了する。ユーザは軸体133’’と駆動本体11’’を切り離したい場合、二つの係合翼部117’’を引き動かして前記開口位置に切り替えるだけで、弾性係合部1333’’と係合溝116’’の係合を脱離させることができて、軸体133’’と駆動本体11’’を切り離すことができる。
【００４２】
図11を参照すると、図11は本発明の第四実施例の回転式洗濯装置1’’’の取付け概略図である。図11が示すように、前記実施例と異なって、本実施例の回転式洗濯装置1’’’は駆動本体11’’’、搭載部材12’’’、接続部材13’’’、汚れ除去部材14’’’、弾性部材16’’’および従動部材17’’’を含み、駆動本体11’’’と接続部材13’’’が互いに接触せず、即ち、接続部材13’’’が駆動本体11’’’に直接接続されていない。駆動本体11’’’は複数個のブレード状の凸部111’’’を含み、各凸部111’’’が前記阻止面を有し、接続部材13’’’に従動部材17’’’が設置されており、従動部材17’’’において駆動本体11’’’の複数個の凸部111’’’に接触するための複数個の駆動当接部171’’’が突設され、従動部材17’’’と駆動本体11’’’が回転して互いと接触し、従動部材17’’’の回転軸と駆動本体11’’’の回転軸が互いに垂直である。駆動本体11’’’の複数個の凸部111’’’は、前記阻止面が水流に押されて回転する時に、従動部材17’’’の複数個の駆動当接部171’’’を押して、連動により接続部材13’’’を洗濯機2の内槽体21に対し回転させ、さらに汚れ除去部材14’’’を洗濯機2の内槽体21と外槽体22に対し回転させて、内槽体21と外槽体22を清掃する効果を果たす。その他の素子構造は第一実施例に類似するため、ここで省略する。
【００４３】
図12を参照すると、図12は本発明の第五実施例の回転式洗濯装置1’’’’の取付け概略図である。図12が示すように、前記実施例と異なって、本実施例の回転式洗濯装置1’’’’は駆動本体11’’’’、搭載部材12’’’’、接続部材13’’’’、汚れ除去部材14’’’’、弾性部材16’’’’、保護カバー18’’’’および嵌合具19’’’’を含む。保護カバー18’’’’は、内槽体21よりも突出した駆動本体11’’’’の一部を被覆し、かつ内槽体21に固定されてもよい。保護カバー18’’’’において、水流を通過させるための複数個の孔181’’’’が形成され、つまり、保護カバー18’’’’は水流を通過させるとともに、衣類が駆動本体11’’’’と直接接触することを防ぎ、衣類が駆動本体11’’’’に巻き付くことを減らす。本発明の保護カバー18’’’’の構造はこれに限定されず、例を挙げると、別の実施例において、保護カバーが内槽体21に固定されず、駆動本体に直接結合されて、駆動本体につれて回転するようにしてもよい。また、重力を利用して駆動本体11’’’’の回転を補助する目的から、駆動本体11’’’’の重量分布が不均等であってもよい。また、搭載部材12’’’’はさらに第一半部121’’’’および第二半部122’’’’を含み、第一半部121’’’’と第二半部122’’’’が分離可能に接続され、搭載部材12’’’’が閉め状態である場合、第一半部121’’’’と第二半部122’’’’の間には接続部材13’’’’を挿設するための貫通孔が形成され、搭載部材12’’’’が開け状態である場合、第一半部121’’’’と第二半部122’’’’が分離し、接続部材13’’’’を搭載部材12’’’’から取り外せるようになる。嵌合具19’’’’は、第一半部121’’’’に設置された第一嵌合部材191’’’’（例えば、回転可能な嵌合輪）および第二半部122’’’’に設置された第二嵌合部材192’’’’（例えば、嵌合フック）を含み、第一嵌合部材191’’’’が軸転して第二嵌合部材192’’’’と嵌合した場合、第一半部121’’’’と第二半部122’’’’が分離不能になり、第一嵌合部材191’’’’が軸転して第二嵌合部材192’’’’と嵌合していない場合、第一半部121’’’’と第二半部122’’’’が分離可能になり、接続部材13’’’’を取り外せる。その他の素子構造が第一実施例に類似するため、ここで省略する。
【００４４】
図13と図14を参照すると、図13は本発明の第六実施例の回転式洗濯装置1’’’’’の取付け概略図であり、図14は本発明の第六実施例の搭載部材12’’’’’の概略図である。図13と図14が示すように、前記実施例と異なって、本実施例の回転式洗濯装置1’’’’’は駆動本体11’’’’’、搭載部材12’’’’’、接続部材13’’’’’および汚れ除去部材14’’’’’を含む。搭載部材12’’’’’は弾性材料で制作され、搭載部材12’’’’’は複数個の取付け足123’’’’’、二つのリミット構造124’’’’’、複数個の吸盤構造127’’’’’、槽貫通構造128’’’’’および複数個の外縁延伸部129’’’’’を含み、複数個の取付け足123’’’’’が洗濯機2の内槽体21の取付け槽212の壁面2121における複数個の取付け孔211に係合されることで、搭載部材12’’’’’を固定する目的を達成する。複数個の吸盤構造127’’’’’は、搭載部材12’’’’’が洗濯機2の内槽体21に取付けられた時に、取付け槽212の壁面2121に吸着することで搭載部材12’’’’’の取付け安定性を高めるものであり、より良い吸着効果が得られるよう、本実施例の壁面2121を円弧形にしてもよいが、本発明はこれに限定されない。複数個の外縁延伸部129’’’’’は、搭載部材12’’’’’が洗濯機2の内槽体21に取付けられた時に、取付け槽212の外に露出されてユーザの操作に供され、取り外し作業をし易くするものである。また、槽貫通構造128’’’’’は接続部材13’’’’’の回転軸に平行な方向に沿って延伸し、二つのリミット構造124’’’’’はそれぞれ槽貫通構造128’’’’’の両端に位置し、かつそれぞれ汚れ除去部材14’’’’’および駆動本体11’’’’’に当接して、接続部材13’’’’’が搭載部材12’’’’’に対し接続部材13’’’’’の回転軸に平行な軸方法に沿って移動することを制限する。さらに、槽貫通構造128’’’’’は二つのリミット構造124’’’’’の間に位置する螺旋段1281’’’’’を含むことで、槽貫通構造128’’’’’の長さを柔軟に伸縮させることができ、ユーザは駆動本体11’’’’’を押すことで簡単に回転式洗濯装置1’’’’’の取付けを完了できる。しかし、本発明はこれに限定されず、例を挙げると、別の実施例において、搭載部材は一つの吸盤構造および一つの外縁延伸部のみを含み、かつ槽貫通構造が螺旋段に代わる波紋段を含み、槽貫通構造の長さを柔軟に伸縮させるようにしてもよい。
従来技術と比較して、本発明は、取付け足と取付け孔の係合により搭載部材を洗濯機の内槽体に取り付けて、接続部材を安定して保持するため、ユーザは取付け足と取付け孔を係合または脱係合させるだけで、簡単に回転式洗濯装置を洗濯機の内槽体に取り付けるか、または回転式洗濯装置を洗濯機の内槽体から取り外すことができる。また、搭載部材は回転軸に平行な方向に沿って接続部材、駆動本体または汚れ除去部材に当接し、接続部材が搭載部材に対し軸方向に移動することを制限できるため、接続部材が回転軸に平行な方向の外力を受けた場合でも、接続部材が回転軸に平行な方向に沿って搭載部材から脱離することはない。さらに、接続部材と駆動本体の間の脱着可能な接続設計、または接続部材と搭載部材の間の脱着可能な接続設計は、後のメンテナンスの実施にも有利である。
以上は本発明の好ましい実施例に過ぎず、本発明の請求の範囲において行った均等な変更と修正はすべて本発明の範囲に属する。  
【符号の説明】
【００４５】
1、1’、1’’、1’’’、1’’’’、1’’’’’    回転式洗濯装置
11、11’、11’’、11’’’、11’’’’、11’’’’’    駆動本体
111、111’’’  凸部  
112  収納槽
113’  開口
114’’  中間凹部
116’’  係合溝
117’’  係合翼部
12、12’、12’’、12’’’、12’’’’、12’’’’’    搭載部材
121  第一部分
122  第二部分
121’、121’’  支持片
122’  中空管
121’’’’  第一半部
122’’’’’  第二半部
123、123’、123’’、123’’’、123’’’’、123’’’’’  取付け足
124、124’、124’’’、124’’’’、124’’’’’  リミット構造
125’、125’’  貫通孔
126’、126’’  隙間
127’’’’’  吸盤構造
128’’’’’  槽貫通構造
1281’’’’’  波紋段
129’’’’’    外縁延伸部
13、13’、13’’、13’’’、13’’’’、13’’’’’   接続部材
131、131’            第一端
1311’      側部
132        第二端
133’’       軸体
1331’’     中間当接部
1333’’     弾性係合部
134’’       リミット部
14、14’、14’’、14’’’、14’’’’、14’’’’’   汚れ除去部材
15          取り外しアセンブリ
151        押え部材
1511      押え操作部
1511A    第一操作部品
1511B    第二操作部品
1512      押え部
1512A    第一押え部品
1512B    第二押え部品
152        こじ動かし部材
1521      こじ動かし操作部
1522      こじ動かし部
16、16’’’、16’’’’    弾性部材
17’’’        従動部材
171’’’      駆動当接部
18’’’’       保護カバー
181’’’’     孔
19’’’’       嵌合具  
191’’’’     第一嵌合部材
192’’’’     第二嵌合部材
2            洗濯機
21          内槽体
211        取付け孔
212        取付け槽
2121      壁面
22          外槽体
A1          第一夾角
A2          第二夾角
P1、P2、P3、P4 外縁
R1          第一方向
R2          第二方向
S            回転軸
【図１】
2020171694.tif 000003
【図２】
2020171694.tif 000004
【図３】
2020171694.tif 000005
【図４】
2020171694.tif 000006
【図５】
2020171694.tif 000007
【図６】
2020171694.tif 000008
【図７】
2020171694.tif 000009
【図８】
2020171694.tif 000010
【図９】
2020171694.tif 000011
【図１０】
2020171694.tif 000012
【図１１】
2020171694.tif 000013
【図１２】
2020171694.tif 000014
【図１３】
2020171694.tif 000015
【図１４】
2020171694.tif 000016